(57)【特許請求の範囲】
【請求項１】
洗濯機の外箱上部に設けられた上部支持部と、
前記外箱の内部に配設される槽体の外周部に設けられた下部支持部と、
これら下部支持部及び上部支持部間にわたって配設された吊り棒、この吊り棒の下部外周に前記下部支持部の下面に対して摺動するように設けられた下部受け部材、この下部受け部材の下方で前記吊り棒の下部外周に摺動可能に設けられたダンパ部材、このダンパ部材を収容したダンパケース、並びにこのダンパケースの下側に設けられたスプリングを有し、これら吊り棒、下部受け部材、ダンパ部材、ダンパケース、及びスプリングを介して前記槽体を上下動可能に吊持する吊持機構とを具備するものおいて、
前記ダンパケースに前記スプリングを外方より囲う囲い壁を形成したことを特徴とする洗濯機の槽体吊持装置。
【請求項２】
スプリングが圧縮コイルばねで、囲い壁の内周面とダンパケースの外周面との間の間隙寸法を、スプリングの線径の１．０〜１．５倍としたことを特徴とする請求項１記載の洗濯機の槽体吊持装置。
【請求項３】
洗濯機の外箱上部に設けられた上部支持部と、
前記外箱の内部に配設される槽体の外周部に設けられた下部支持部と、
これら下部支持部及び上部支持部間にわたって配設された吊り棒、この吊り棒の下部外周に前記下部支持部の下面に対して摺動するように設けられた下部受け部材、この下部受け部材の下方で前記吊り棒の下部外周に摺動可能に設けられたダンパ部材、このダンパ部材の下側に設けられた圧縮コイルばねから成るスプリング、並びにこのスプリングの下端を受けたスプリング受け部材を有し、これら吊り棒、下部受け部材、ダンパ部材、スプリング、及びスプリング受け部材を介して前記槽体を上下動可能に吊持する吊持機構とを具備するものおいて、
前記スプリング受け部材の上面部に、前記スプリングの内径よりも径小で、該スプリングを嵌合する筒状リブを設けたことを特徴とする洗濯機の槽体吊持装置。
【請求項４】
筒状リブの外径を、スプリングの内径からスプリングの線径を差し引いた寸法よりも大きくしたことを特徴とする請求項３記載の洗濯機の槽体吊持装置。
【請求項５】
洗濯機の外箱上部に設けられた上部支持部と、
前記外箱の内部に配設される槽体の外周部に設けられた下部支持部と、
これら下部支持部及び上部支持部間にわたって配設された吊り棒、この吊り棒の下部外周に前記下部支持部の下面に対して摺動するように設けられた下部受け部材、この下部受け部材の下方で前記吊り棒の下部外周に摺動可能に設けられたダンパ部材、このダンパ部材の下側に設けられた圧縮コイルばねから成るスプリング、並びにこのスプリングの下端を受けたスプリング受け部材を有し、これら吊り棒、下部受け部材、ダンパ部材、スプリング、及びスプリング受け部材を介して前記槽体を上下動可能に吊持する吊持機構とを具備するものおいて、
前記スプリングの巻回数を、自然数に０．５を加えた数としたことを特徴とする洗濯機の槽体吊持装置。
【発明の詳細な説明】
【０００１】
【発明の属する技術分野】
本発明は、洗濯機の外箱に槽体を吊持する、洗濯機の槽体吊持装置に関する。
【０００２】
【従来の技術】
いわゆる脱水兼用洗濯機においては、一般に、外箱の上部の四隅部から、吊り棒を具えた吊持機構によって槽体が吊持されており、この槽体の内部に、洗濯槽と脱水槽とを兼ねる内槽が配設されている。
図７及び図８は、その吊持機構部分の従来構成を示すもので、洗濯機における外箱１の上部の四隅部（１か所のみ代表して図示）に、それぞれ、凹部２ａを有する支持板２が設けられ、一方、外箱１内に配設される槽体３の下部の外周部には、挿通孔４ａを有する下部支持部４が一体に設けられている。
【０００３】
そして、その下部支持部４の挿通孔４ａには、吊り棒５の下部が挿通されている。吊り棒５の下端部には、ワッシャ６を介してスプリング受け部材７が抜け止め状態に装着されており、その上方に、下から順に、圧縮コイルばねから成るスプリング８、ダンパケース９、ゴム製のダンパ部材１０、及び下部受け部材１１が、それぞれ吊り棒５に挿通された状態で装着され、その最上部に位置する下部受け部材１１が、前記下部支持部４の下面に下方から摺動可能に当接するようになっている。又、ダンパ部材１０の内周面と、これに対応する吊り棒５の下部外周面との間には、潤滑剤であるグリス１２が介在されている。
【０００４】
他方、吊り棒５の上端部には上部受け部材１３が装着されており、この上部受け部材１３が支持板２の凹部２ａに摺動可能に当接して支持されるようになっている。
そして、それら、吊り棒５と、上部受け部材１３、下部受け部材１１、ダンパ部材１０、ダンパケース９、スプリング８、スプリング受け部材７、ワッシャ６、並びにグリス１２により吊持機構１４が構成され、４組の吊持機構１４により、槽体３が外箱１に上下動可能に吊持されている。
【０００５】
【発明が解決しようとする課題】
上記従来のものの場合、特に、脱水時に内槽の回転に伴い振動する槽体３に対し、ダンパ部材１０がグリス１２を介して吊り棒５との間で摺動することにより、槽体３の振動を減衰する減衰力（摩擦力）が発生する。
【０００６】
このとき、スプリング８は、座屈しやすいもので、特に、スプリング受け部材７には、上面にリング状の凸部７ａがあり、これにスプリング８の下端が乗り上げたり入り込んだりすることで、座屈しやすい。座屈すれば、スプリング８は、近辺の他の部材、例えば槽体３の外面等に当たり、擦過による騒音が発生する。
【０００７】
本発明は上述の事情に鑑みてなされたものであり、従ってその目的は、騒音の発生を少なくできる洗濯機の槽体吊持装置を提供するにある。
【０００８】
【課題を解決するための手段】
上記目的を達成するために、本発明の洗濯機の槽体吊持装置は、第１に、洗濯機の外箱上部に設けられた上部支持部と、前記外箱の内部に配設される槽体の外周部に設けられた下部支持部と、これら下部支持部及び上部支持部間にわたって配設された吊り棒、この吊り棒の下部外周に前記下部支持部の下面に対して摺動するように設けられた下部受け部材、この下部受け部材の下方で前記吊り棒の下部外周に摺動可能に設けられたダンパ部材、このダンパ部材を収容したダンパケース、並びにこのダンパケースの下側に設けられたスプリングを有し、これら吊り棒、下部受け部材、ダンパ部材、ダンパケース、及びスプリングを介して前記槽体を上下動可能に吊持する吊持機構とを具備するものおいて、前記ダンパケースに前記スプリングを外方より囲う囲い壁を形成したことを特徴とする（請求項１の発明）。
【００１４】
このものによれば、スプリングが座屈しようとしたとき、囲い壁に当たることで、それ以上の座屈が阻止され、近辺の他の部材に当たることが防止されるから、スプリングの擦過による騒音の発生がなくなる。
【００１５】
この場合、スプリングが圧縮コイルばねで、囲い壁の内周面とダンパケースの外周面との間の間隙寸法を、スプリングの線径の１．０〜１．５倍とするとなお良い（請求項２の発明）。
このものによれば、スプリングが座屈しようとしたときのそれ以上の座屈を、囲い壁がより早期の段階で阻止するから、スプリングの擦過による騒音の発生がより確実になくなる。
【００１６】
本発明の洗濯機の槽体吊持装置は、第２に、洗濯機の外箱上部に設けられた上部支持部と、前記外箱の内部に配設される槽体の外周部に設けられた下部支持部と、これら下部支持部及び上部支持部間にわたって配設された吊り棒、この吊り棒の下部外周に前記下部支持部の下面に対して摺動するように設けられた下部受け部材、この下部受け部材の下方で前記吊り棒の下部外周に摺動可能に設けられたダンパ部材、このダンパ部材の下側に設けられた圧縮コイルばねから成るスプリング、並びにこのスプリングの下端を受けたスプリング受け部材を有し、これら吊り棒、下部受け部材、ダンパ部材、スプリング、及びスプリング受け部材を介して前記槽体を上下動可能に吊持する吊持機構とを具備するものおいて、前記スプリング受け部材の上面部に、前記スプリングの内径よりも径小で、該スプリングを嵌合する筒状リブを設けたことを特徴とする（請求項３の発明）。
【００１７】
このものによれば、スプリングの下部を嵌合する相手部が筒状リブであることにより、従来のもののような低いリング状凸部と違って、スプリングの下端が容易に乗り上げたり入り込んだりすることがなくなり、それらを原因としたスプリングの座屈が防止されるから、スプリングの擦過による騒音の発生がなくなる。
【００１８】
この場合、筒状リブの外径を、スプリングの内径からスプリングの線径を差し引いた寸法よりも大きくするとなお良い（請求項４の発明）。
このものによれば、筒状リブへの嵌合状態で、スプリングが座屈しようとしたとき、スプリングが筒状リブに直ちに当接して下部を支えられ、座屈が防止されるから、スプリングの擦過による騒音の発生がより確実になくなる。
【００１９】
本発明の洗濯機の槽体吊持装置は、第３に、洗濯機の外箱上部に設けられた上部支持部と、前記外箱の内部に配設される槽体の外周部に設けられた下部支持部と、これら下部支持部及び上部支持部間にわたって配設された吊り棒、この吊り棒の下部外周に前記下部支持部の下面に対して摺動するように設けられた下部受け部材、この下部受け部材の下方で前記吊り棒の下部外周に摺動可能に設けられたダンパ部材、このダンパ部材の下側に設けられた圧縮コイルばねから成るスプリング、並びにこのスプリングの下端を受けたスプリング受け部材を有し、これら吊り棒、下部受け部材、ダンパ部材、スプリング、及びスプリング受け部材を介して前記槽体を上下動可能に吊持する吊持機構とを具備するものおいて、前記スプリングの巻回数を、自然数に０．５を加えた数としたことを特徴とする（請求項５の発明）。
【００２０】
このものによれば、スプリングが上下から平衡に圧縮力を受けるようになり、不平衡に受けることによる座屈が防止されるから、スプリングの擦過による騒音の発生がなくなる。
【００２１】
【発明の実施の形態】
以下、本発明の一実施例につき、図１ないし図６を参照して説明する。
まず、図２には、洗濯機（脱水兼用洗濯機）２１の全体的構成を示しており、外箱２２の内部に、槽体としての外槽２３を、吊持機構２４により吊持して配設している。この場合、吊持機構２４は、１組しか図示していないが、４組あり、その１組ずつが直方体の箱状を成す外箱２２の四隅部にそれぞれ対応している。
【００２２】
外槽２３内には、洗濯槽と脱水槽を兼ねる内槽２５を回転可能に配設しており、内槽２５内の底部には、水流生成用の撹拌体２６を配設している。外槽２３の外底部には、モータ２７を配設すると共に、モータ２７の回転力がベルト２８を介し伝達されて内槽２５及び撹拌体２６を回転駆動する駆動機構部２９を配設している。
【００２３】
なお、詳細な説明は省略するが、上記モータ２７及び駆動機構部２９により、洗い及びためすすぎの行程においては、撹拌体２６を正逆回転させ、脱水及びシャワーすすぎの行程においては、内槽２５を撹拌体２６と共に一方向に高速回転させるようになっている。内槽２５の上端部にはバランスリング３０を取付けると共に、シャワーすすぎ及び脱水時に内槽２５からの排水をバランスリング３０との間を通して行う脱水孔３１を形成している。
【００２４】
ここで、前述の吊持機構２４につき、詳細に述べる。前記外箱２２の上部における四隅部には、図１に示すように、上部支持部を構成する金属製の支持板３２を取付けている。この支持板３２には、上方に開放する球面状の凹部３３を形成すると共に、この凹部３３の中央部に挿通孔３４を形成し、更に、その挿通孔３４から外箱２２の内方に通じる切欠部３５を形成している。
【００２５】
これに対して、外槽２３は例えばプラスチック製であり、これの外周部の下部には、下部支持部３６を上述の支持板３２に対応して４個一体に設けている。この下部支持部３６は、支持板３２の凹部３３と対称的に下方に開放する球面状の凹部３７を有するものであり、この凹部３７の中央部に挿通孔３８を形成している。
【００２６】
そして、吊り棒３９は、金属製にて、下端部を下部支持部３６の挿通孔３８に挿通しており、上端部を支持板３２の挿通孔３４に挿通していて、これら支持板３２と下部支持部３６とを貫通し、その両者間にわたっている。
吊り棒３９の下端部側には、上から順に、例えばプラスチック製の下部受け部材４０と、弾性を有する例えばゴム製のダンパ部材４１、このダンパ部材４１を収容するダンパケース４２、スプリング４３、スプリング受け部材４４、及びワッシャ４５を、それぞれ吊り棒３９に摺動可能に挿通された状態で装着し、吊り棒３９の下端部にはそれらの抜止めをする抜止め部３９ａを形成している。
【００２７】
上記下部受け部材４０は、球面部４６を上面に有する部分を主体部４７としており、この主体部４７の中央部の上方に筒部４８を有していて、吊り棒３９が貫通したその筒部４８を、下部支持部３６の挿通孔３８に下方より挿通した状態で、主体部４７の球面部４６を下部支持部３６の凹部３７内に摺動可能に当接させている。
【００２８】
又、ダンパ部材４１は、内周面の上部が吊り棒３９の対応する下部の外周面に当接して外槽２３の振動の減衰のための適度な摩擦力を及ぼす筒状を成しており、その内周面、特に吊り棒３９の下部外周面に当接する部分、この場合、上部の内周面４１ａを、梨地状に形成している。
【００２９】
ここで、梨地は細かい凹凸を無数に有するものであり、図３はそれの一部を拡大して表している。この図３において、Ｏは基準線を示しており、凹凸の境界位置、すなわち、ダンパ部材４１の内周面が梨地状ではなく平滑に形成されていた場合の表面である。これに対して、４９は梨地の凸部、５０は梨地の凹部を示しており、Ｒo は多数ある凸部４９の高さと多数ある凹部５０の深さとのそれぞれ絶対値の平均、すなわち、平均粗さであり、この平均粗さＲo を、この場合、５〜２０〔μｍ〕としている。
しかして、上記ダンパ部材４１の内周面と吊り棒３９の下部外周面との間には、潤滑剤であるグリス５１を介在させている。
【００３０】
加えて、ダンパ部材４１の上部の外周部には、下部受け部材４０の主体部４７に接するフランジ部５２を形成しており、このフランジ部５２の上面部と下部受け部材４０の主体部４７の下面部との間には、この場合、双方の凹部により、潤滑剤溜め部５３を形成している。又、フランジ部５２には連通孔５４を複数形成しており、下部受け部材４０の吊り棒３９との接触部分である主体部４７の下部内周には、グリス５１の漏れを阻止するリップ５５を装着している。このリップ５５は、詳細には図４に示すように、吊り棒３９の下部外周面に圧接するリップエッジ５５ａを、上下に有するものである。
【００３１】
ダンパケース４２はダンパ部材４１よりも径大な筒状を成しており、それらの間には、ダンパ部材４１の内周面４１ａと吊り棒３９の下部外周面との接触部分に連なる隙間５６が存在し、この隙間５６と前記潤滑剤溜め部５３とを、連通孔５４が連通させている。更に、ダンパケース４２の上部の外周部にはフランジ部５７を形成しており、このフランジ部５７の周囲部から下方へは、円筒状を成す囲い壁５８を形成している。
【００３２】
スプリング４３は、上記ダンパケース４２のフランジ部５７と前記スプリング受け部材４４との間に介在されて、外槽２３を弾性支持するものであり、このスプリング４３を囲い壁５８が外方より囲っている。更に詳細には、スプリング４３は圧縮コイルばねから成るものであり、囲い壁５８の内周面とダンパケース４２の外周面との間の間隙寸法Ｇは、このスプリング４３の線径（直径）ｄの１．０〜１．５倍としている。
【００３３】
そして、スプリング受け部材４４は、スプリング４３の下端を受けるものであり、これの上面部には筒状リブ５９を設けている。この筒状リブ５９は、外径Ｄ１  がスプリング４３の内径Ｄ２  よりも径小で上方に延びる例えば円筒状を成すもので、外側にスプリング４３を嵌合している。又、この場合、筒状リブ５９の外径Ｄ１  は、詳細には、スプリング４３の内径Ｄ２  からスプリング４３の線径ｄを差し引いた寸法よりも大きくしている。
【００３４】
更に、図５の（ａ）はスプリング４３を単独の状態で示しており、ｎはこのスプリング４３の１巻回であって、スプリング４３はその全体の巻回数を、自然数、この場合、８（８ｎ）に０．５（０．５ｎ）を加えた数としている。
【００３５】
一方、吊り棒３９の上端部側には、下から順に、例えばプラスチック製の上部受け部材６０と、弾性を有するゴム製のダンパ部材６１、及びワッシャ６２を、吊り棒３９に挿通された状態で装着しており、吊り棒３９の上端部にはそれらの抜止めをする抜止め部３９ｂを形成している。
【００３６】
上記上部受け部材６０は、球面部６３を下面に有する部分を主体部６４としており、この主体部６４の中央部の下方に筒部６５、上方部に環状壁６６、側部に引掛け部６７を有していて、図１に示すように、吊り棒３９が貫通した筒部６５を前記支持板３２の切欠部３５から入れて挿通孔３４に位置させ、引掛け部６７を切欠部３５内に位置させた状態で、主体部６４の球面部６３を凹部３３に摺動可能に収容させており、もって、吊り棒３９、下部受け部材４０、ダンパ部材４１、ダンパケース４２、スプリング４３、スプリング受け部材４４、ワッシャ４５、グリス５１、上部受け部材６０、ダンパ部材６１、及びワッシャ６２から成る吊持機構２４により外槽２３を上下動可能に吊持するようにしている。
【００３７】
なお、吊持機構２４には、そのほかの摺動部にも潤滑剤であるグリスを介在させている。又、引掛け部６７は、上部受け部材６０を上述のごとく支持板３２に組付けるまでの間、外槽２３の上端部に係合させて、吊持機構２４を外槽２３に仮組みするのに使用するものである。又、上部受け部材６０の上面側に配置したダンパ部材６１は、前述のダンパ部材４１よりも上下の軸方向に短い短円筒状を成しており、環状壁６６内に配置している。
【００３８】
次に、上記構成のものの作用並びに効果を述べる。
特に、内槽２５の回転に伴って外槽２３が振動する脱水時、ダンパ部材４１がグリス５１を介して吊り棒３９との間で摺動することにより、外槽２３の振動を減衰する減衰力（摩擦力）が発生する。このとき、上記構成のものでは、ダンパ部材４１の摺動面である内周面４１ａを、細かい凹凸を無数に有する梨地状に形成しているので、ダンパ部材４１の内周面４１ａと吊り棒３９の外周面との間には、その無数の凹凸によってグリス５１を貯えるスペースができており、ダンパ部材４１が摺動しても、グリス５１はダンパ部材４１の内周面４１ａと吊り棒３９の外周面との間に保たれる。従って、外槽２３の振動を減衰する減衰力を適度に保つことができる。
【００３９】
図６は、槽体２３の振動とダンパ部材４１の減衰力（ダンパ変換エネルギー）との関係を、発明者の実験結果に基づいて表しており、内槽２５の定常回転時の振動域（周波数で１５〔Ｈｚ〕）での減衰力が、ダンパ部材４１の内周面４１ａを梨地状（この場合、平均粗さＲｏ  で１０〔μｍ〕）に形成したものでは、４０〔ｋｇｆｍｍ〕であり、そうでないもの（平滑なもの）では、５０〔ｋｇｆｍｍ〕で、梨地状に形成したものが小さいことが証明されている。
【００４０】
かくして、上記構成のものの場合、定常回転時での外槽２３から床への振動の伝達を少なくできるものであり、騒音の発生を少なくすることができる。なお、梨地状に形成するのは、ダンパ部材４１の内周面４１ａではなく、吊り棒３９の下部外周面とすることも考えられるが、しかし、吊り棒３９の下部外周面を梨地状に形成したものでは、ダンパ部材４１の摩耗が激しく、実際の使用に適さない。
【００４１】
一方、吊り棒３９に対するダンパ部材４１の摩擦により、それらの間からグリス１５がはみ出ても、上記構成のものの場合、それは下部受け部材４０の下面部とダンパ部材４１の上面部との間の潤滑剤溜め部５３に溜められ、この潤滑剤溜め部５３から連通孔５４を通ってダンパ部材４２の外周面とダンパケース４２の内周面との間の隙間５６に至り、そして、その隙間５６から吊り棒３９の下部外周面とダンパ部材４１の内周面４１ａとの接触部分に戻る。これにより、吊り棒３９の下部外周面とダンパ部材４１の内周面４１ａとの接触部分の潤滑がやはり良好に行われ続け、槽体２３の振動を減衰する減衰力を適度に保つことができる。従って、これによっても、定常回転時での槽体２３から床への振動の伝達を少なくでき、騒音の発生を少なくすることができる。
【００４２】
しかも、この場合、下部受け部材４０は、吊り棒３９との接触部分にグリス５１の漏れを阻止するリップ５５を有している。これにより、グリス５１の、必要な部分からのはみ出しが一層少なくなって、吊り棒３９の下部外周面とダンパ部材４１の内周面４１ａとの接触部分の潤滑が更に良好に行われ続けるから、定常回転時での槽体２３から床への振動の伝達を更に少なくできて、騒音の発生を一段と少なくすることができる。
【００４３】
又、ダンパ部材４１を収容したダンパケース４２には、スプリング４３を外方より囲う囲い壁５８を形成している。これにより、スプリング４３が座屈しようとしたとき、囲い壁５８に当たるから、それ以上の座屈が阻止され、近辺の他の部材、例えば槽体２３の外面等にスプリング４３が当たることが防止される。よって、その近辺の他の部材に対するスプリング４３の擦過による騒音の発生なくすことができる。
【００４４】
しかも、槽体２３が振動で上昇したとき、それに伴って、下部受け部材４０、ダンパ部材４１、ダンパケース４２も、スプリング４３のばね力により上昇し、それによって、吊り棒３９の、それまでダンパケース４２に覆われていた部分がダンパケース４２から露出することにより、それにほこりや水が付着することが心配されるが、囲い壁５８はその露出部分を外方より覆い続けるものでもあり、その部分へのほこりや水の付着を防止する。これにより、吊り棒３９に対するダンパ部材４１の摺動を、ほこりや水の付着に阻害されずに適正に保つことができ、減衰性能を良好に維持することができる。
【００４５】
更に、囲い壁５８の内周面とダンパケース４２の外周面との間の間隙寸法Ｇを、スプリング（圧縮コイルばね）４３の線径ｄの１．０〜１．５倍としており、これにより、スプリング４３が座屈しようとしたときのそれ以上の座屈を、囲い壁５８にて、より早期の段階で阻止できるから、スプリング４３の擦過による騒音の発生をより確実になくすことができる。
【００４６】
加えて、スプリング４３の下端を受けるスプリング受け部材４４の上面部には、スプリング４３の内径よりも径小な筒状リブ５９を設けており、これにスプリング４３を嵌合している。この場合、スプリング４３の下部を嵌合する相手部が、従来のもののような低いリング状凸部７ａと違って、筒状リブ５９であることにより、スプリング５３の下端が容易に乗り上げたり入り込んだりすることがなく、それらを原因としたスプリング４３の座屈が防止されるから、上述同様、スプリング４３の擦過による騒音の発生をなくすことができる。
【００４７】
しかも、この場合、筒状リブ５９の外径Ｄ１  を、スプリング４３の内径Ｄ２  からスプリング４３の線径ｄを差し引いた寸法よりも大きくしていることにより、筒状リブ５９への嵌合状態で、スプリング４３が座屈しようとしたとき、スプリング４３が筒状リブ５９に直ちに当接して下部を支えられ、座屈が防止されるから、スプリング４３の擦過による騒音の発生をより確実になくすことができる。
【００４８】
そして、スプリング４３は、その巻回数を、自然数に０．５を加えた数としている。図５の（ｂ）は、従来の、スプリング８の巻回数を自然数（図示例は９）としたものを示しており、このものでは、スプリング８が上下の一方の片側（図中右側）をそれぞれダンパケース９及びスプリング受け部材７に当接させているため、その上下の一方の片側から不平衡に圧縮力Ｐを受けることになって、二点鎖線で示すように座屈する。これに対して、スプリング４３の巻回数を、自然数に０．５を加えた数（図示例は８．５）とした上記構成のものでは、図５の（ａ）に示すように、スプリング４３が、上端は一方の片側（図中右側）でダンパケース４２に当接し、下端は他方の片側（図中左側）でスプリング受け部材４４に当接するので、上下から平衡に圧縮力Ｐを受けるようになって、座屈せずに縮み、従って、これによっても、スプリング４３の擦過による騒音の発生をなくすことができる。
なお、本発明は上記し且つ図面に示した実施例にのみ限定されるものではなく、要旨を逸脱しない範囲内で適宜変更して実施し得る。
【００４９】
【発明の効果】
本発明は以上説明したとおりのもので、下記の効果を奏する。
請求項１の洗濯機の槽体吊持装置によれば、ダンパケースに形成した囲い壁によりスプリングの座屈を防止できるから、スプリングが近辺の他の部材に当たることを回避できて、スプリングの擦過による騒音の発生なくすことができる。しかも、この場合、吊り棒の常時はダンパケースに覆われる部分へのほこりや水の付着も防止できて、吊り棒に対するダンパ部材の摺動を適正に保つことができ、減衰性能を良好に維持することができる。
【００５３】
請求項２の洗濯機の槽体吊持装置によれば、スプリングが座屈しようとしたときのそれ以上の座屈を、より早期の段階で阻止できて、スプリングの擦過による騒音の発生をより確実になくすことができる。
請求項３の洗濯機の槽体吊持装置によれば、スプリングのスプリング受け部材に対する組付けの誤りを原因としたスプリングの座屈を防止できて、上述同様、スプリングの擦過による騒音の発生をなくすことができる。
【００５４】
請求項４の洗濯機の槽体吊持装置によれば、スプリングをスプリング受け部材に組付けた後、使用状態でのスプリングの座屈を効果的に防止できて、スプリングの擦過による騒音の発生をより確実になくすことができる。
請求項５の洗濯機の槽体吊持装置によれば、スプリングが上下から平衡に圧縮力を受けるようになって、座屈を防止できるから、これによっても、スプリングの擦過による騒音の発生をなくすことができる。
【図面の簡単な説明】
【図１】本発明の一実施例を示す主要部分の、一部を省略した縦断面図
【図２】洗濯機全体の破断側面図
【図３】ダンパ部材の内周面の一部の拡大縦断面図
【図４】リップ部分の拡大縦断面図
【図５】スプリング単体を、従来のものとの比較で示す側面図
【図６】槽体の振動とダンパ部材の減衰力との関係を従来のものと併せて示す特性図
【図７】従来例を示す主要部分の、一部を省略した分解斜視図
【図８】図１相当図
【符号の説明】
２１は洗濯機、２２は外箱、２３は外槽（槽体）、２４は吊持機構、３２は支持板（上部支持部）、３６は下部支持部、３９は吊り棒、４０は下部受け部材、４１はダンパ部材、４１ａはダンパ部材の内周面、４２はダンパケース、４３はスプリング、４４はスプリング受け部材、５１はグリス（潤滑剤）、５３は潤滑剤溜め部、５４は連通孔、５５はリップ、５６は隙間、５８は囲い壁、Ｇは間隙寸法、ｄはスプリングの線径、５９は筒状リブ、Ｄ１  は筒状リブの外径、Ｄ２  はスプリングの内径を示す。
【図１】
0003544871.tif 000002
【図２】
0003544871.tif 000003
【図３】
0003544871.tif 000004
【図４】
0003544871.tif 000005
【図５】
0003544871.tif 000006
【図６】
0003544871.tif 000007
【図７】
0003544871.tif 000008
【図８】
0003544871.tif 000009